(57)【要約】【課題】ブロー成形品製空気袋を用いるにも拘わらず、使用感を向上できると共に、耐久性にも優れたマッサージ器を提供することにある。【解決手段】人体の下肢（肢体）Ｂが出し入れ可能なベース２２の凹部２５に、給排気装置により膨縮されるとともに、その膨縮により凹部２５内の肢体にマッサージ刺激を及ぼすブロー成形品製の空気袋２７，２８を配置する。空気袋２７，２８及び凹部２５を被ってベース２２に被された伸縮性を有する外装カバー３１と、空気袋２７，２８のマッサージ作用面２７ｂ、２８ｂとの間に、クッション２９，３０を設ける。クッションは、空気袋２７，２８と略同じかそれ以上大きく形成されてマッサージ作用面２７ｂ、２８ｂと外装カバー３１との間に遊動可能に配置されたクッション部２９ａ,３０ａと、このクッション部から延出されてベース２２に固定された取付け部２９ｂ,３０ｂとを有している。【選択図】      図５
2005278806.tif 000002
【特許請求の範囲】
【請求項１】
人体の肢体が出し入れ可能な凹部を有したベースと、
膨縮可能に作られたブロー成形品からなり、前記凹部に配置され、膨縮して前記凹部内の肢体にマッサージ刺激を及ぼす空気袋と、
この空気袋を膨縮させる給排気装置と、
前記空気袋及び前記凹部を被って前記ベースに被された伸縮性を有する外装カバーと、
前記空気袋と略同じかそれ以上大きく形成されて前記空気袋のマッサージ作用面と前記外装カバーとの間に遊動可能に配置されたクッション部、及びこのクッション部から延出されて前記ベースに固定された取付け部を有するクッションと、
を具備したマッサージ器。
【請求項２】
前記空気袋の取付け部と前記クッションの取付け部とを、互に重ねて同じ止め具を用いて前記ベースに固定した請求項１に記載のマッサージ器。
【請求項３】
人体の肢体が出し入れ可能な凹部を有したベースと、
膨縮可能に作られたブロー成形品からなり、前記凹部に配置され、膨縮して前記凹部内の肢体にマッサージ刺激を及ぼす空気袋と、
この空気袋を膨縮させる給排気装置と、
前記空気袋より大きく形成されて前記空気袋に対して遊動可能に被嵌されたキャップと、
このキャップに前記空気袋のマッサージ作用面側を被って設けられ、かつ、前記空気袋と略同じかそれ以上の大きさのクッションと、
を具備したマッサージ器。
【請求項４】
前記キャップが前記クッションを設けた一側部とこれに連続して前記空気袋の他側面を被った他側部とを有し、前記クッションのカバー縁部を前記一側部から前記他側部の縁部に渡って設けた請求項３に記載のマッサージ器。
【発明の詳細な説明】
【技術分野】
【０００１】
本発明は、空気袋を膨縮させて人体の肢体にその側方からマッサージ刺激を波及させるマッサージ器に関する。
【背景技術】
【０００２】
従来、人体の肢体が出し入れされる凹部を有し、この凹部内に配設された空気袋を、これに給排気装置で空気を給排気して膨縮させることにより、凹部内に収容された人体の肢体を圧迫・弛緩させてマッサージをするマッサージ器が知られている（例えば、特許文献１参照。）。
【０００３】
この種のマッサージ器に使用される空気袋には、柔軟性に優れた空気袋と、さほど柔軟性を有しない空気袋とがある。前者の空気袋は、スポンジ状の軟質発泡ウレタン樹脂の樹脂層と、ガラス入りナイロン繊維等からなる柔軟製の繊維層とを、積層してなる素材で作られている。後者の空気袋は、ポリプロピレン等の合成樹脂をブロー成形して作られている。
【特許文献１】特開２００１−３７８２９号公報（段落0002、0008−0011、図１及び図３）
【発明の開示】
【発明が解決しようとする課題】
【０００４】
柔軟性に優れた前記空気袋は、それを膨張させて人体の肢体を圧迫したときに、ソフトに圧迫することができる。この反面、柔軟性を有するが故に、空気袋を膨張させた時に、その膨張が、脛の骨のような硬い部分よりも柔らかな筋肉等の部位に接する方に集中し、この集中した部位への圧迫が強くなり過ぎるので、マッサージをする上では好ましくない。
【０００５】
これに対して、ブロー成形品からなる空気袋は、それが有しているある程度の硬さにより、体組織の柔らかい部位へ膨張が集中することがなく、肢体に対してその側方から平均的に膨張を作用させて肢体を強く圧迫できる利点がある。この反面、ブロー成形で作られた空気袋は、その中央部から周縁に至るほど次第に肉厚が厚くなることは妨げられないので、この空気袋の周部は比較的硬くなっている。
【０００６】
このため、ブロー成形品からなる空気袋を前記先行文献１の空気袋に採用した場合、凹部に入れられた肢体にブロー成形品製空気袋の比較的硬い周部が当たって、凹部内の肢体に痛さを与えて使用感を損なう恐れがある。
【０００７】
この点を改善するために、マッサージ器の外装材である伸縮性の外装カバーに厚い素材を用いて、その伸縮により肢体に対するブロー成形品製空気袋の周部の当たりを緩衝することが考えられる。しかし、マッサージ器を被う伸縮性の外装カバーは、その厚みが増えるほどコストが嵩むので、こうした対策は現実的ではない。
【０００８】
そこで、本発明者は、ブロー成形品製空気袋と略同じ大きさの板状をなす軟質発泡ウレタン樹脂製のクッションを、薄い伸縮性の外装カバーとブロー成形品製空気袋との間に挿入する対策を講じたマッサージ器を試作し、又、これとは別に、軟質発泡ウレタン樹脂製のクッションを外装カバーの内面に縫い付ける対策を講じたマッサージ器も試作するに至った。
【０００９】
しかし、前者の対策では、クッションがどこにも拘束されておらず自由に動き得るように設けられている。このため、ブロー成形品製空気袋の膨縮に伴い、この空気袋に対する適正位置からクッションが容易にずれて、このクッションによる所望の緩衝機能がまっとうされなくなることがある、ということが本発明者の試行により確かめられた。すなわち、前者の対策では、肢体に対してブロー成形品製空気袋の周部が当たることを確実に防止するという保証を得られない。
【００１０】
又、後者の対策では、クッションをブロー成形品製空気袋に対して適正位置に保持できるが、空気袋が膨張するときに、これに追従して伸びようとする外装カバーによって、伸縮性を有していないクッションが過度に引っ張られてしまう。これにより、クッションが早期に千切れて破損し易い、ということが本発明者の試行により確かめられた。
【００１１】
本発明の目的は、ブロー成形品製空気袋を用いるにも拘わらず、使用感を向上できると共に、耐久性にも優れたマッサージ器を提供することにある。
【課題を解決するための手段】
【００１２】
本発明は、人体の肢体が出し入れ可能なベースの凹部に、給排気装置により膨縮されるとともに、その膨縮により凹部内の肢体にマッサージ刺激を及ぼすブロー成形品製の空気袋が配置され、かつ、伸縮性を有する外装カバーを空気袋及び凹部を被ってベースに被せたマッサージ器を前提とする。
【００１３】
そして、前記課題を解決するために、本発明は、外装カバーと空気袋のマッサージ作用面との間に設けたクッションを、空気袋と略同じかそれ以上大きく形成されて空気袋のマッサージ作用面と外装カバーと遊動可能に配置されたクッション部と、このクッション部から延出されてベースに固定された取付け部とを有した構成としている。
【００１４】
本発明では、マッサージの際に肢体とブロー成形品製空気袋の周部との当たりを緩衝するクッションが、空気袋の膨縮に伴い、空気袋及び外装カバーに対して遊動するので、このクッションの損傷が抑制される。そして、クッションはその取付け部を介してベースに固定されているので、ある範囲内で遊動を制限されて、空気袋に対する適正位置からクッションがずれないように保持できる。これにより、前記遊動に拘わらず、肢体と空気袋の周部との当たりを確実に緩衝できる。
【発明の効果】
【００１５】
本発明によれば、ブロー成形品製空気袋を用いるにも拘わらず、この空気袋の主部との当たりを緩衝して使用感を向上できると共に、緩衝のためのクッションの損傷を抑制して耐久性に優れたマッサージ器を提供できる。
【発明を実施するための最良の形態】
【００１６】
図１〜図６を参照して本発明の第１実施形態を説明する。
【００１７】
図１中符号１は椅子式のマッサージ機を示しており、このマッサージ機１は、椅子本体２と人体の肢体例えば下肢用のマッサージ器２１とを備えている。
【００１８】
椅子本体２は、座部３と、この座部３の幅方向両側に設けられた肘掛部４と、座部３の後側に好ましくはリクライニング可能に取付けられた背もたれ部５とを備えている。背もたれ部５には、着座した使用者の上半身に対してマッサージを施す手段として、例えば一対の腰下部マッサージ用の空気袋６と、一対の腰部マッサージ用の空気袋７と、一対の背中部マッサージ用の空気袋８と、一対の肩部マッサージ用の空気袋９とが取付けられている。なお、図１中符号１０は、空気袋６〜９を被って背もたれ部５に取付けられた伸縮性を有した生地からなる背もたれ部カバーを示している。
【００１９】
これらの空気袋６〜９は、例えば座部３の下方空間に配置された給排気装置１１の駆動に伴って選択的に給排気されることに伴い所望とするモードで膨縮されて、着座者の上半身の全部又は選択した部分に対し圧迫・弛緩を伴うマッサージを施す。この給排気装置１１の駆動とその停止、マッサージ個所の指定、モード選択等の各種のマッサージ運転上の指示は、操作部例えば好ましい例として図１に示したリモートコントローラ１２を介して与えることができる。なお、本発明において、椅子本体２のマッサージ手段は省略することもできる。しかし、椅子本体２にマッサージ手段を設ける場合には、以上説明したエアー式のマッサージ手段に代えて、いわゆる揉み玉を用いて着座者の上半身にマッサージ刺激を与える機械式のマッサージ手段を設けてもよく、又、背もたれ部５以外に座部３にエアー式等のマッサージ手段を更に追加して設けることも可能である。
【００２０】
給排気装置１１はマッサージ器２１の駆動源を兼ねている。マッサージ器２１は、例えば椅子本体２の座部３に、図示しない枢軸を中心にして図１に示す略垂直に立った位置と、座部３の前方にやや前下がりとなって突出する位置とにわたって回動可能に連結され、これら両位置及び両位置間の任意位置に位置決めできるように設けられている。このマッサージ器２１は、前記給排気装置１１と、図２〜図５に示すようにベース２２と、空気袋２７，２８と、クッション２９，３０と、外装カバー３１とを備えている。
【００２１】
ベース２２は、互に平行に延びる複数の支持壁、例えば一対の第１支持壁２３と、これらの間に夫々設けられた第２支持壁２４とを有しているとともに、これら第１、第２の支持壁２３，２４間に形成された凹部２５を有している。相対応した第１、第２の支持壁２３，２４は凹部２５の底壁２６を介して一体に連続している。凹部２５には着座者の下肢（図３〜図５中に符号Ｂで示す。）が出し入れ可能である。
【００２２】
空気袋２７，２８は、ポリプロピレンのような合成樹脂をブロー成形して得たもので、空気の給排気により膨縮される略四角形状の袋部と、この袋部の周部から一体に延出された取付け部２７ａ又は２８ａとを有している。袋部は、相対向する第１、第２の側面を有し、その内の一方の側面はマッサージ作用面２７ｂ又は２８ｂ（いずれも図及び図５参照）として機能する。又、袋部はその中央部から周部２７ｃ又は２８ｃに向けて次第に肉厚が厚くなっている。この袋部は、前記給排気装置１１に連通されていて、給排気装置１１によって同期して膨縮される。図２に示すように取付け部２７ａ、２８ａは複数例えば二つずつ設けられており、これらは可撓性を有した短冊形状の非膨張部である。
【００２３】
空気袋２７，２８は、凹部２５に入れられた下肢Ｂをその側方から圧迫できるようにベース２２の幅方向（言い換えれば凹部２５を横断する方向）に対応してベース２２に取付けられている。すなわち、図４及び図５に示すように一方の空気袋２７は、その取付け部２７ａをねじ等の止め具３２で底壁２６に固定することで、マッサージ作用面２７ｂに対向した他側面を第１支持壁２３の凹部側の側面２３ａに沿わせて取付けられている。他方の空気袋２８は、その取付け部２８ａをねじなどの止め具３３で底壁２６に固定することで、マッサージ作用面２８ｂに対向した他側面を第２支持壁２４の側面２４ａに沿わせて取付けられている。なお、本実施形態では、下肢の膝頭側部分と足首側部分とを個別にマッサージできるように凹部２５が延びる方向に沿って２個の空気袋２７と２個の空気袋２８とが設けられているが、これは一つであってもよく、又、３個以上設けることも可能である。ベース２２の幅方向に対向して配置された空気袋２７,２８は同じ大きさである。
【００２４】
図６等に示すように空気袋２７に対して設けられるクッション２９は、クッション部２９ａと、これから延出された取付け部２９ｂとを有している。図４及び図５に示すようにクッション部２９ａは、５mm〜１０mmの厚みであって、クッション材料例えばスポンジ状に発泡された軟質発泡ウレタン等からなるクッション層の表裏両面に耐摩耗層として例えば綿の繊維層２９a1，２９a2を積層してなる。なお、繊維層は、クッション部２９ａの少なくとも前記マッサージ作用面２７ｂに接触可能な面に設けてあればよい。このクッション部２９ａは、空気袋２７と略同じか好ましくはそれ以上大きく形成されている。取付け部２９ｂは可撓変形ができる短冊形状をなしている。
【００２５】
同様に、空気袋２８に対して設けられるクッション３０は、クッション部３０ａと、これから延出された取付け部３０ｂとを有している。クッション部３０ａは、５mm〜１０mmの厚みであって、クッション材料例えばスポンジ状に発泡された軟質発泡ウレタン等からなるクッション層の表裏両面に耐摩耗層として例えば綿の繊維層３０a1，３０a2を積層してなる。なお、繊維層は、クッション部３０ａの少なくとも前記マッサージ作用面２８ｂに接触可能な面に設けてあればよい。このクッション部３０ａは、空気袋２８と略同じか好ましくはそれ以上大きく形成されている。取付け部３０ｂは可撓変形ができる短冊形状をなしている。
【００２６】
クッション２９は、その取付け部２９ｂを底壁２６に固定することで、クッション部２９ａが空気袋２７のマッサージ作用面２７ｂを被うようにベース２２に取付けられている。取付け部２９ｂは前記取付け部２７ａに重ねられて前記止め具３２を利用してベース２２に共締めされている。このため部品点数を少なくできる点で有利である。同様に、クッション３０は、その取付け部３０ｂを底壁２６に固定することで、クッション部３０ａが空気袋２８のマッサージ作用面２８ｂを被うようにベース２２に取付けられている。取付け部３０ｂは前記取付け部２８ａに重ねられて前記止め具３３を利用してベース２２に共締めされている。このため、部品点数を少なくできる点で有利である。
【００２７】
こうしてベース２２に支持されたクッション２９，３０のクッション部２９ａ,３０ａは、取付け部２９ｂ,３０ｂの可撓変形により動いて、空気袋２７，２８に対する相対位置を変えることが可能であるが、この動き（遊動）は取付け部２９ｂ,３０ｂの長さの設定等によりある範囲内に制限されている。この制限により、空気袋２７，２８の袋部に対する適正位置からクッション部２９ａ,３０ａがずれないようにクッション２９，３０が保持されている。
【００２８】
外装カバー３１は伸縮性を有した生地などで形成されている。図４及び図５に示すように外装カバー３１は、空気袋２７，２８、クッション２９,３０及び凹部２５を被ってベース２２に被されている。外装カバー３１の凹部２５を被った部分は、凹部２５への下肢Ｂの挿入を妨げないように凹部２５の形状に沿って凹まされている。このため、外装カバー３１の凹部２５を被った部分３１ａの裏面と、空気袋２７のマッサージ作用面２７ｂと間に、既述の取付けによってクッション部２９ａが遊動可能に配置されている。同様に外装カバー３１の凹部２５を被った部分３１ｂの裏面と、空気袋２８のマッサージ作用面２８ｂと間に、既述の取付けによってクッション部３０ａが遊動可能に配置されている。
【００２９】
マッサージ器２１は、その凹部２５内に使用者の下肢Ｂを入れた状態で、リモートコントローラ１２により給排気装置１１を駆動して、ベース２２の幅方向に対応する空気袋２７，２８の膨縮を同時に繰返すことにより、下肢Ｂをマッサージできる。このマッサージにおいて、空気袋２７,２８が膨張した状態は図５に示され、空気袋２７,２８が収縮した状態は図４に示されている。下肢Ｂの両側に位置する空気袋２７,２８が膨張する時は、下肢Ｂがその側方から圧迫され、空気袋２７,２８が収縮する時は、下肢Ｂに対する側方からの圧迫が解放されて下肢Ｂが弛緩する。
【００３０】
このマッサージ動作において、空気袋２７,２８はある程度の硬さを有しているので、クッション２９，３０による圧迫力の減衰を考慮しても、下肢Ｂの柔らかい部位への空気袋２７,２８の膨張が集中することを抑制しつつ、下肢Ｂに対しその側方から平均的に膨張を作用させて、下肢Ｂを比較的強く圧迫してマッサージできる。
【００３１】
マッサージ動作中に繰返される空気袋２７,２８の膨縮に伴い、クッション２９，３０のクッション部２９ａ,３０ａは、遊動して、外装カバー３１と空気袋２７,２８のマッサージ作用面２７ｂ、２８ｂとに対する相対位置を変える。しかし、クッション２９,３０はベース２２に支持されていて、空気袋２７,２８と外装カバー３１との間でのクッション部２９ａ,３０ａの遊動は、空気袋２７,２８の袋部に対する適正位置から外れないように制限されているので、クッション部２９ａ,３０ａがむやみに移動して、これらクッション部２９ａ,３０ａに対して空気袋２７,２８の袋部の周部２７ｃ,２８ｃがはみ出すことが防止される。
【００３２】
これにより、凹部２５内の下肢Ｂに対して座部３に寄せて配置されている方の空気袋２７，２８の周部２７ｃ,２８ｃが当たることがあっても、その当たりをクッション部２９ａ,３０ａで緩衝できる。したがって、マッサージに伴って使用者に痛さを与えることが防止され、使用感を向上できる。
【００３３】
又、外装カバー３１と空気袋２７,２８のマッサージ作用面２７ｂ、２８ｂと間に配置されているクッション部２９ａ,３０ａは、既述のように空気袋２７,２８の膨縮に追従して遊動するので、空気袋２７,２８の膨張に伴って伸びる外装カバー３１により、クッション部２９ａ,３０ａが引っ張られることはない。このため、マッサージ動作に伴って、クッション部２９ａ,３０ａが引き千切られる等の損傷を負うことがなく、耐久性を向上できる。
【００３４】
しかも、クッション部２９ａ,３０ａの表裏面は繊維層２９a1, ２９a2、又は３０a1, ３０a2で補強されているので、外装カバー３１と空気袋２７,２８のマッサージ作用面２７ｂ、２８ｂとの擦れ合いによるクッション部２９ａ,３０ａの摩耗を抑制できる。この点においても、耐久性を向上できる。
【００３５】
図７〜図１１は本発明の第２実施形態を示している。この実施形態は基本的には第1実施形態と同じであるので、第1実施形態と同じ構成については、第1実施形態と同じ符号を付してその説明を省略し、以下、第1実施形態とは異なる点を説明する。
【００３６】
第２実施形態のマッサージ器２１はキャップ４１，４２を備えている。キャップ４１，４２は、空気袋２７，２８より大きく作られて、これら空気袋２７，２８に対して夫々遊動可能に被嵌されている。
【００３７】
キャップ４１，４２は、マッサージ作用面２７ｂ,２８ｂと相似形状でこれらより大きなシート状をなす一側部Ｃ及び他側部Ｄを、その下縁（図８〜図１０において）を除いて縫い合わせてなる。図１０及び図１１中符号Ｅは逢着部を示している。キャップ４１，４２の縫い合わされていない縁Ｆは開くことができ、この縁Ｆを通して空気袋２７，２８にキャップ４１，４２を被せることができる。キャップ４１，４２の一側部Ｃは、これから一体に延出された取付け部Ｇを介して一体につながっている。この取付け部Ｇは、凹部２５の底壁２６を被って設けられていて、ねじなどの止め具４３で底壁２６に固定されている。従って，第２実施形態では、底壁２６に対して空気袋２７，２８とキャップ４１，４２とは別々の固定具で取付けられている。なお、キャップ４１，４２は互に独立していてもよい。
【００３８】
キャップ４１，４２の一側部Ｃ及び他側部Ｄの内で、少なくとも空気袋２７,２８のマッサージ作用面２７ｂ,２８ｂを被った一側部Ｃは、空気袋２７,２８の膨縮に追従して変形できるように好ましくは伸縮可能な生地で作られている。
【００３９】
キャップ４１，４２には例えばその内側に位置して一側部Ｃに重なるようにクッション２９又は３０が取付けられている。これらのクッション２９,３０は、空気袋２７,２８と略同じかそれ以上の大きさであればよいが、本実施形態のクッション２９,３０は空気袋２７,２８より大きい。クッション２９,３０は例えば断面略Ｕ字形状に曲ったカバー縁部４４を有している。このカバー縁部４４は、キャップ４１，４２の縁Ｆ側に寄ってこの縁Ｆと同じ方向に延びる縁部以外の縁部をなしている。
【００４０】
図８、図９、及び図１１に示すようにクッション２９,３０は、そのカバー縁部４４を、前記縁Ｆを除いた３方の縁にわたっている前記逢着部Ｅに縫い付けることによって、キャップ４１，４２に取付けられている。この取付けにより、カバー縁部４４は、キャップ４１，４２の一側部Ｃから他側部Ｄの縁部にわたって設けられ、かつ、空気袋２７，２８の周部２７ｃ，２８ｃを被うように設けられている。
【００４１】
外装カバー３１は、空気袋２７，２８に遊動可能に被嵌されたキャップ４１，４２を被ってベース２２に被されている。以上説明した点以外の構成は、図１〜図６に示した第１実施形態と同じである。
【００４２】
この第２実施形態に係るマッサージ器２１は、その凹部２５内に使用者の下肢Ｂを入れた状態で、リモートコントローラ１２により給排気装置１１を駆動して、ベース２２の幅方向に対応する空気袋２７，２８の膨縮を同時に繰返すことにより、下肢Ｂをマッサージできる。このマッサージにおいて、空気袋２７,２８が膨張した状態は図９に示され、空気袋２７,２８が収縮した状態は図８に示されている。下肢Ｂの両側に位置する空気袋２７,２８が膨張する時は、下肢Ｂがその側方から圧迫され、空気袋２７,２８が収縮する時は、下肢Ｂに対する側方からの圧迫が解放されて下肢Ｂが弛緩する。なお、空気袋２７,２８が膨張する時、キャップ４１，４２の少なくとも一側部Ｃは延びるので、キャップ４１，４２が空気袋２７,２８ｂの膨張を妨げないようにできる。
【００４３】
このマッサージ動作において、空気袋２７,２８はある程度の硬さを有しているので、クッション２９，３０による圧迫力の減衰を考慮しても、下肢Ｂの柔らかい部位への空気袋２７,２８の膨張が集中することを抑制しつつ、下肢Ｂに対しその側方から平均的に膨張を作用させて、下肢Ｂを比較的強く圧迫してマッサージできる。
【００４４】
マッサージ動作中に繰返される空気袋２７,２８の膨縮に伴い、クッション２９，３０は、空気袋２７,２８に対して遊動し、外装カバー３１と空気袋２７,２８のマッサージ作用面２７ｂ、２８ｂとに対する相対位置を変える。しかし、クッション２９,３０を支持したキャップ４１，４２は空気袋２７,２８に被さって支持されていて、空気袋２７,２８と外装カバー３１との間でのキャップ４１，４２の遊動は、空気袋２７,２８の袋部に対する適正位置から外れないように制限されているので、クッション２９,３０を支持したキャップ４１，４２がむやみに移動して、クッション２９,３０に対して空気袋２７,２８の袋部の周部２７ｃ,２８ｃがはみ出すことが防止される。
【００４５】
しかも、クッション２９,３０のカバー縁部４４が、図８、図９、及び図１１に示すように空気袋２７，２８の周部２７ｃ，２８ｃを被うように対向して設けられているので、空気袋２７，２８に対してキャップ４１，４２がどのように遊動しても、空気袋２７，２８の周部２７ｃ，２８ｃがクッション２９,３０のカバー縁部４４で被われた状態を維持できる。
【００４６】
これにより、凹部２５内の下肢Ｂに対して座部３に寄せて配置されている方の空気袋２７，２８の周部２７ｃ,２８ｃが当たることがあっても、その当たりをクッション２９,３０で緩衝できる。したがって、マッサージに伴って使用者に痛さを与えることが防止され、使用感を向上できる。
【００４７】
又、外装カバー３１と空気袋２７,２８のマッサージ作用面２７ｂ、２８ｂと間に配置されているクッション２９,３０は、既述のようにキャップ４１，４２とともに空気袋２７,２８の膨縮に追従して遊動するので、空気袋２７,２８の膨張に伴って伸びる外装カバー３１により、クッション２９,３０が引っ張られることはない。このため、マッサージ動作に伴って、クッション２９,３０が引き千切られる等の損傷を負うことがなく、耐久性を向上できる。
【００４８】
これとともに、空気袋２７,２８ｂが膨張する際に、キャップ４１，４２の一側部Ｃとクッション２９，３０とは、その逢着部Ｅを除いてずれ動くことができるので、クッション２９，３０に過度な引っ張り力が作用することも抑制できる。
【００４９】
しかも、クッション２９,３０の表裏面は繊維層２９a1, ２９a2、又は３０a1, ３０a2で補強されているので、外装カバー３１と空気袋２７,２８のマッサージ作用面２７ｂ、２８ｂとの擦れ合いによるクッション２９,３０の摩耗を抑制できる。この点においても、耐久性を向上できる。
【００５０】
なお、第２実施形態においては、外装カバー３１を外した状態で使用することが可能であり，従って，この外装カバー３１を省略して実施することもできる。又、既述のように外装カバー３１を用いて実施する場合には、クッション２９,３０をキャップ４１，４２の内側ではなく，既述の取付けによってクッション２９,３０をキャップ４１，４２の外側に設けることも可能である。
【００５１】
本発明は、前記各実施形態には制約されない。例えば、マッサージ器は、椅子本体等のように使用者の身体を主として支持する主支持体とは分離して、この支持部に併置して使用することもできる。又、前記主支持体とは全く無関係に人体の下肢又は上肢を専用にマッサージするマッサージ器としても実施できる。
【図面の簡単な説明】
【００５２】
【図１】本発明の第１実施形態に係るマッサージ器を備えた椅子式マッサージ機を示す斜視図。
【図２】第１実施形態のマッサージ器をその外装カバーを外した状態で示す斜視図。
【図３】第１実施形態のマッサージ器をその外装カバーを外した状態で示す正面図。
【図４】第１実施形態のマッサージ器の一部を空気袋が収縮した状態で示す断面図。
【図５】第１実施形態のマッサージ器の一部を空気袋が膨張した状態で示す断面図。
【図６】第１実施形態のマッサージ器が備える空気袋とクッションとの関係を分解して示す斜視図。
【図７】本発明の第２実施形態のマッサージ器をその外装カバーを一部取除いた状態で示す平面図。
【図８】第２実施形態のマッサージ器の一部を空気袋が収縮した状態で示す断面図。
【図９】第２実施形態のマッサージ器の一部を空気袋が膨張した状態で示す断面図。
【図１０】第２実施形態のマッサージ器が備える空気袋とこれに被されたキャップとを示す背面図。
【図１１】図１０中Ｘ−Ｘ線に沿って示す断面図。
【符号の説明】
【００５３】
１１…給排気装置、２１…マッサージ器、２２…ベース、２３…第１支持壁、２４…第２支持壁、２５…凹部、２６…底壁、２７，２８…空気袋、２７ａ，２８ａ…空気袋の取付け部、２７ｂ，２８ｂ…空気袋のマッサージ作用面、２７ｃ，２８ｃ…空気袋の周部、２９，３０…クッション、２９ａ，３０ａ…クッションのクッション部、２９ｂ，３０ｂ…クッションの取付け部、３２，３３…止め具、４１，４２…キャップ、Ｂ…下肢（肢体）、Ｃ…キャップの一側部、Ｄ…キャップの他側部、４４…クッションのカバー縁部
【図１】
2005278806.tif 000003
【図２】
2005278806.tif 000004
【図３】
2005278806.tif 000005
【図４】
2005278806.tif 000006
【図５】
2005278806.tif 000007
【図６】
2005278806.tif 000008
【図７】
2005278806.tif 000009
【図８】
2005278806.tif 000010
【図９】
2005278806.tif 000011
【図１０】
2005278806.tif 000012
【図１１】
2005278806.tif 000013